(57)【要約】【課題】タンクに充たした洗浄水を非自給式電動ポンプを用いて噴射ノズルに送って噴射させるに際して、面倒な呼び水を行わなくても、自動的に非自給式電動ポンプをスタートさせて噴射ノズルに加圧された洗浄水を速やかに噴射ノズル側に加圧給水できるように工夫したカーペットクリーナーを提供する。【解決手段】給水タンク１Ａ内の洗浄水ＣＷを噴射ノズル３Ｎに送って噴射させる非自給式電動ポンプ２Ｐの吐出側に、一方を噴射ノズル３Ｎ側に接続し、他方を電磁開閉弁１０Ｔを介して給水タンク１Ａに接続した分岐管を連設して、電動ポンプ２Ｐの駆動に先だって電磁開閉弁１０Ｔを開とし、ポンプモータ２ＰＭの電流値が所定の時間内に所定の値に達し、且つ、その状態が所定の時間以上連続して検知された場合に、電磁開閉弁１０Ｔを閉にして非自給式電動ポンプ２Ｐの駆動を継続する。【選択図】      図４
2004208874.tif 000002
【特許請求の範囲】
【請求項１】
タンク内の洗浄水を、タンクの下側に設けた非自給式電動ポンプによって噴射ノズルよりカーペットに向けて噴射して洗浄し、その洗浄汚水を吸引口にバキューム作用を及ぼして吸引するように構成したカーペットクリーナーであって、
上記電動ポンプの吐出側に、一方を上記の噴射ノズル側に接続し、他方を電磁開閉弁を介して上記のタンク側に接続した分岐管を連設すると共に、上記電動ポンプと電磁開閉弁には、電動ポンプの駆動に先だって上記電磁開閉弁を開とし、所定の時間内に上記の電動ポンプを駆動するモータの電流値が所定の値に達し、且つ、その状態が所定の時間以上連続して検知された場合に、上記電磁開閉弁を閉にして上記電動ポンプの駆動を継続する手段を備えた制御部を具備せしめたことを特徴とするカーペットクリーナー。
【請求項２】
タンク内の洗浄水を、タンクの下側に設けた非自給式電動ポンプによって噴射ノズルよりカーペットに向けて噴射して洗浄し、その洗浄汚水を吸引口にバキューム作用を及ぼして吸引するように構成したカーペットクリーナーであって、
上記電動ポンプの吐出側に、一方を上記の噴射ノズル側に接続し、他方を電磁開閉弁を介して上記のタンク側に接続した分岐管を連設し、上記電動ポンプと電磁開閉弁の制御部には、電動ポンプによる給水を高圧給水運転と低圧給水運転とに選択可能な給水圧力選択手段と、高圧給水運転を選択した時に、所定の時間内に上記の電動ポンプを駆動するモータの電流値が所定の値に達し、且つ、その状態が所定の時間以上連続して検知された場合に、上記電磁開閉弁を閉にして上記電動ポンプの駆動を継続する一方、低圧給水運転を選択した時には、所定の時間内に上記の電動ポンプを駆動するモータの電流値が所定の値に達し、且つ、その状態が所定の時間以上連続して検知された場合に、上記電磁開閉弁を開に維持したまま上記電動ポンプの駆動を継続する給水圧力制御手段を具備せしめたことを特徴とするカーペットクリーナー。
【請求項３】
電動ポンプによって加圧された洗浄水を噴射ノズルに送る給水管の途中に、送られて来る洗浄水を高温に加熱するヒータを設けると共に、このヒータと上記電動ポンプの間の給水管に、前記電磁開閉弁を介して前記タンク側に通じる循環パイプを分岐接続したことを特徴とする請求項１又は２に記載のカーペットクリーナー。
【発明の詳細な説明】
【０００１】
【発明の属する技術分野】
本発明は、カーペットを高温、高圧のスチーム（洗浄水）で洗浄するカーペットクリーナーに関するものである。
【０００２】
【従来の技術】
カーペットクリーナーの基本構造に関しては、従来より例えば特許文献１に記載の如き構造のものが知られている。
【０００３】
【特許文献１】
特開平１１−９９１１１号公報
【０００４】
上記特許文献１に記載のカーペットクリーナーによれば、電動ポンプによって加圧され、且つ、ヒータによって加熱された高温・高圧の洗浄水を、噴射ノズルよりカーペットに向けて勢いよく噴射して洗浄し、その洗浄後の汚水をバキュームヘッドの吸引口に及ぼしたバキュームポンプの強力な吸引作用によって吸引して、回収タンクに回収するように構成されている。
【０００５】
【発明が解決しようとする課題】
しかし、上記特許文献１に記載のカーペットクリーナーでは、価格の面から電動ポンプとして非自給式のポンプを使用し、この非自給式電動ポンプをタンクの下側に設けることにより、その水圧によってポンプ内のエアーを排出するようにしているが、特許文献１の図面に見られるように、ポンプの吐出側に長いホースや噴射ノズル等が接続されて抵抗が大きい場合には、タンクに洗浄水を充たした後、電動ポンプによってその洗浄水を送り出す際に、電動ポンプに対して呼び水を注入することによって、ポンプに残っているエアーを強制排出する作業を必要とする場合がある。即ち、ポンプ作業を開始するに当って、電動ポンプ内にエアーが存在すると、たとえタンク内に洗浄水を充たしたとしても正常にポンプ動作を行うことができず、その都度面倒な呼び水の作業を行わなくてはならない煩わしさがあった。
【０００６】
そこで本発明の技術的課題は、タンクに充たした洗浄水を非自給式電動ポンプを用いて噴射ノズルに送って噴射させるに際して、面倒な呼び水を行わなくても、自動的に非自給式電動ポンプをスタートさせて、噴射ノズルに加圧された洗浄水を速やかに噴射ノズル側に加圧給水できるように工夫したカーペットクリーナーを提供することである。
【０００７】
更に本発明の他の技術的課題は、電動ポンプによって噴射ノズルから噴射される洗浄水の圧力を、二段階に切換可能に構成したカーペットクリーナーを提供することである。
【０００８】
【課題を解決するための手段】
（１）  上記の技術的課題を解決するために、本発明に係るカーペットクリーナーでは、前記請求項１に記載の如く、タンク内の洗浄水をタンクの下側に設けた非自給式電動ポンプによって噴射ノズルよりカーペットに向けて噴射して洗浄し、その洗浄汚水を吸引口にバキューム作用を及ぼして吸引するように構成したカーペットクリーナーであって、上記電動ポンプの吐出側に、一方を上記の噴射ノズル側に接続し、他方を電磁開閉弁を介して上記のタンク側に接続した分岐管を連設すると共に、上記電動ポンプと電磁開閉弁には、電動ポンプの駆動に先だって上記電磁開閉弁を開とし、所定の時間内に上記の電動ポンプを駆動するモータの電流値が所定の値に達し、且つ、その状態が所定の時間以上連続して検知された場合に、上記電磁開閉弁を閉にして上記電動ポンプの駆動を継続する手段を備えた制御部を具備せしめたことを特徴とする。
【０００９】
（２）  更に本発明に係るカーペットクリーナーは、前記請求項２に記載の如く、タンク内の洗浄水を、タンクの下側に設けた非自給式電動ポンプによって噴射ノズルよりカーペットに向けて噴射して洗浄し、その洗浄汚水を吸引口にバキューム作用を及ぼして吸引するように構成したカーペットクリーナーであって、上記電動ポンプの吐出側に、一方を上記の噴射ノズル側に接続し、他方を電磁開閉弁を介して上記のタンク側に接続した分岐管を連設し、上記電動ポンプと電磁開閉弁の制御部には、電動ポンプによる給水を高圧給水運転と低圧給水運転とに選択可能な給水圧力選択手段と、高圧給水運転を選択した時に、所定の時間内に上記の電動ポンプを駆動するモータの電流値が所定の値に達し、且つ、その状態が所定の時間以上連続して検知された場合に、上記電磁開閉弁を閉にして上記電動ポンプの駆動を継続する一方、低圧給水運転を選択した時には、所定の時間内に上記の電動ポンプを駆動するモータの電流値が所定の値に達し、且つ、その状態が所定の時間以上連続して検知された場合に、上記電磁開閉弁を開に維持したまま上記電動ポンプの駆動を継続する給水圧力制御手段を具備せしめたことを特徴とする。
【００１０】
（３）  更に本発明に係るカーペットクリーナーは、前記請求項３に記載の如く、電動ポンプによって加圧された洗浄水を噴射ノズルに送る給水管の途中に、送られて来る洗浄水を高温に加熱するヒータを設けると共に、このヒータと上記電動ポンプの間の給水管に、前記電磁開閉弁を介して前記タンク側に通じる循環パイプを分岐接続したことを特徴とする。
【００１１】
上記（１）で述べた手段によれば、非自給式電動ポンプを駆動開始するに当り、先ず電磁開閉弁を開とするので、ポンプ電動によりポンプ内のエアーは電磁開閉弁を通してタンク内に放出されることになる。そしてエアーが抜けてポンプ内に洗浄水が充たされると、ポンプモータの回転負荷が増し、ポンプモータに流れる電流値が上昇して所定の値に達し、電磁開閉弁を閉とする。それ以降は、高圧状態の洗浄水が噴射ノズルに送り出されることになる。従って、上記の構成によれば、呼び水を注がなくてもスタート当初から自動的にタンク内の洗浄水を噴射ノズルよりカーペットに向けて高圧で噴射して洗浄することを可能にする。
【００１２】
上記（２）で述べた手段によれば、高圧給水運転と低圧給水運転とを選択可能な給水圧力選択手段を備えるものであって、高圧給水時には、ポンプを駆動するモータ電流値が所定の値に達し、且つ、その状態が所定の時間以上連続して検知されると、電磁開閉弁を閉状態にしてポンプ駆動を継続し、低圧運転時には、ポンプを駆動するモータ電流値が所定の値に達し、且つ、その状態が所定の時間以上連続して検知されると、電磁開閉弁を開の状態を維持したままポンプ駆動を継続するように構成しているため、一台の電磁開閉弁をもって、エアー抜きと高圧並びに低圧給水の各動作を可能にするものである。
【００１３】
上記（３）で述べた手段によれば、エアー抜きに際して、ヒータによって高温に加熱される前の常温の洗浄水を循環パイプを通してタンク側に送って、エアーを抜くことができるため、高温に加熱された洗浄水による電磁開閉弁の故障や誤動作の発生を防止することができる。
【００１４】
【発明の実施の形態】
以下に、上述した本発明に係るカーペットクリーナーの実施の形態を図面と共に説明すると、図１はカーペットクリーナー全体の概略図を示したものであって、図中、１はカーペットクリーナーの機体、１Ａと１Ｂは洗浄水の給水タンクと洗浄汚水の回収タンク、ＣＷとＤＷはこれ等各タンク１Ａ，１Ｂの内部１Ｘ，１Ｙに夫々収容及び回収した洗浄水と汚水、Ｅは洗剤入りの洗浄水ＣＷ（湯）を給水する時に用いる容器を示す。
【００１５】
また、２Ｐは供給タンク１Ａの下側部に設けられ、且つ、該タンク１Ａの内底部に設けた取入口２Ｓから取入れた洗浄水ＣＷを、可撓性ホースを用いて構成した給水管３側に高圧供給する非自給式の電動ポンプ（以下単に電動ポンプという）、４は給水管３の根端部３Ａ側の周面に着脱自在に取付けたヒータであって、給水タンク１Ａ内に収容した上記の洗浄水ＣＷは、これ等の電動ポンプ２Ｐとヒータ４とによって最高で約８０℃の高温・高圧の洗浄水となり、次いで、図２に示すように上記給水管３の先端３Ｓにスチーム給水管３Ｘａを介して連通接続したマニホールド管３Ｘ、及び、このマニホールド管３Ｘの底面に首部３Ｎａを嵌込んで取付けられている複数の噴射ノズル３Ｎ…から、符号ＣＷａに示すように夫々扇状に成って均等にカーペットＴに向けて勢い良く噴射される仕組に成っている。
【００１６】
同じく図１に於いて、６はバキュームポンプ、６Ｔはバキュームポンプ６による強力なバキューム力（吸引力）を上述した回収タンク１Ｂの内部１Ｙに及ぼすバキューム筒、６Ａはこのバキューム筒６Ｔの上端部に取付けた自動吸水停止装置、５は根端部５Ａを上記の回収タンク１Ｂに接続し、先端部にはバキュームヘッド５Ｔを設けたパイプ構造のハンド部材であって、回収タンク１Ｂ内に生じた強力なバキューム作用がこのハンド部材５を通して先端のバキュームヘッド５Ｔに及んで、図２の断面図に示すように上述した噴射ノズル３ＮからカーペットＴに向けて噴射される高温・高圧の洗浄水ＣＷａによって洗浄された後の汚水ＤＷを、その強力な吸引力で吸引口５Ｄから回収タンク１Ｂ内に吸引回収するように構成されている。
【００１７】
尚、図１と図２に於いて、９は上記の噴射ノズル３Ｎを収めたカバー体、９Ｈはこのカバー体９に設けた外気導口、３Ｈ…は給水管３を上述したハンド部材５に固定するバンド、３Ｖは上述した給水管３の途中に設けた開閉バルブ、３Ｌはこの開閉バルブ３Ｖを開閉作動するウオンドレバー、７は回収タンク１Ｂ内に設けた気水分離用の遮蔽板、８はドレンバルブ、Ｆは汚水回収用容器を示す。
【００１８】
また、図２に於いて５Ｔｃと５Ｄｃは上記吸引口５Ｄの外側と内側の下端接触面である。
【００１９】
以上の如き構成に於いて、バキュームポンプ６を駆動回転してバキュームヘッド５Ｔの吸引口５Ｄに強力なバキューム力を作用させながら、電動ポンプ２Ｐを駆動し、且つ、ウオンドレバー３Ｌを握って開閉バルブ３Ｖを開くと、図２に示すように約８０℃に加熱された高温・高圧の洗浄水が、給水管３及びマニホールド管３Ｘの内部３ＸＴを通って、該マニホールド管３Ｘに取付けた複数の噴射ノズル３Ｎ…から夫々符号ＣＷａに示すように勢い良く噴射されてカーペットＴを洗浄する一方、この洗浄によって生じた汚水ＤＷをその発生源でバキュームヘッド５Ｔの吸引口５Ｄから吸引して回収タンク１Ｂに回収する仕組に成っている。
【００２０】
本発明は以上の如く構成されたカーペットクリーナーに実施されるものであって、図１に於いて、３Ｋは前記給水管３の根端部３Ａ側であって、且つ、前記電動ポンプ２Ｐとヒータ４の間の給水管３の部分に分岐接続した循環パイプで、途中に電磁開閉弁１０Ｔを取付けたこの循環パイプ３Ｋの先端側は、前記給水タンク１Ａに接続又は連通されている。
【００２１】
更に図１に於いて、１１は前記電磁開閉弁１０Ｔと、電動ポンプ２Ｐの作動を制御する制御盤、１２は操作パネルであって、これ等制御盤１１と操作パネル１２は機体１側に設けられている。図３は操作パネル１２の一例を示したものであって、図中、１３Ｌは電源用の表示ランプ、１４Ｌはバキュームポンプ６用の表示ランプ、１４ＳはそのＯＮ／ＯＦＦスイッチ（ボタン）、１５Ｌと１６Ｌは前記電動ポンプ２Ｐの高圧給水運転用と低圧給水運転用の各表示ランプ、１５Ｓと１６Ｓは高圧給水運転用と低圧給水運転用の各ＯＮ／ＯＦＦスイッチ（ボタン）を示す。
【００２２】
図４は、上述した本発明に係るカーペットクリーナーの電気的構成の一例を説明したブロック図であって、図中、２ＰＭは前記電動ポンプ２Ｐのモータ、１１Ａはこのモータ２ＰＭに接続した電流計、１１は少くとも上記高圧運転用と低圧運転用の各ＯＮ／ＯＦＦスイッチ１５Ｓ，１６Ｓと、電動ポンプ２Ｐ用の電流計１１Ａを備えると共に、前記電磁開閉弁１０Ｔを接続した制御盤で、この制御盤１１には、電源スイッチ（図示省略）の投入に基づく前記電動ポンプ２Ｐの駆動に先だって、前記電磁開閉弁１０Ｔを開状態とし、所定の時間内に電動ポンプ２Ｐを駆動するモータ２ＰＭの電流値が所定の値に達し、且つ、その状態が所定の時間以上連続して検知されると、上記の電磁開閉弁１０Ｔを閉状態にして、上記の電動ポンプ２Ｐの駆動を継続するソフトが組み込まれている。
【００２３】
更に上記の制御盤１１には、前記高圧運転用スイッチ１５ＳがＯＮされて、電動ポンプ２Ｐによる高圧給水が行われる高圧運転時に、所定の時間内に電動ポンプ２Ｐを駆動するモータ２ＰＭの電流値が所定の値に達し、且つ、その状態が所定の時間以上連続して検知されると、電磁開閉弁１０Ｔを閉状態にして電動ポンプ２Ｐの駆動を継続する一方、前記低圧運転用スイッチ１６ＳがＯＮされて、電動ポンプ２Ｐによる低圧給水が行われる低圧運転時には、上記モータ２ＰＭの電流値が所定の時間内に所定の値に達し、且つ、その状態が所定の時間以上連続して検知されると、上記電磁開閉弁１０Ｔを開の状態に維持したまま電動ポンプ２Ｐの駆動を継続することができるソフトが組込まれている。
【００２４】
更に図４において、符号２で全体的に示したブロックは、上述した電動ポンプ２Ｐとリリーフパイプ３Ｚとリリーフバルブ３Ｗとから成る安全装置、同じく符号１０で全体的に示したのは電磁開閉弁１０Ｔを備えたエアー抜き装置、２Ｆは洗浄水ＣＷ用のフイルター装置であって、その他図４に示した各部材において、前記図１で示した部材と同一の部材は同一の符号を付してその説明を省略した。
【００２５】
次に、上記の如く構成した本発明の動作を図５乃至図８に示したフローチャートに従って説明する。図５及び図７は給水動作時の処理動作を説明したフローチャートであって、給水を停止しているステップＳ１の待機状態から、ステップＳ２に進んで高圧運転用スイッチ１５Ｓ（高圧給水／停止ボタン）をＯＮしたか否かが判定され、ＹＥＳの場合はステップＳ３で高圧給水モード（給水圧力＝約２．８ＭＰａ程度）に入って、ステップＳ４で高圧給水表示ランプ１５Ｌが点灯し、次いで、ステップＳ５に進んで電磁開閉弁１０Ｔが開き、０．５秒経過後にステップＳ６でポンプモータ２ＰＭが作動してエアー抜きを行う。
【００２６】
その後、ステップＳ７で電流計１１Ａによる前記ポンプモータ２ＰＭの電流値計測が行われ、ステップＳ８で計測した電流値が所定の時間内に所定の電流値に達し、且つ、その状態が所定の時間以上連続して検知された場合、即ち、水なし判定基準値の状態が５秒以上連続した場合には、図６に示したステップＳ１３に進み、そうでない場合はステップＳ１２に進んでポンプモータ２ＰＭがＯＮした後３０秒経過したか否かが判定され、ＹＥＳの場合は図７に示したステップＳ２４に進み、ＮＯの場合はステップＳ７に戻る。
【００２７】
また、前記ステップＳ２でＮＯと判定された場合は、ステップＳ９に進んで低圧運転用スイッチ１６Ｓ（低圧給水／停止ボタン）をＯＮしたか否かが判定され、ＹＥＳの場合はステップＳ１０に進んで低圧給水モード（給水圧力＝約０．７ＭＰａ程度）に入り、その後、ステップＳ１１で低圧給水表示ランプ１６Ｌを点灯して前述したステップＳ５に進むが、ステップＳ９でＮＯと判定された場合には、始めのステップＳ１に戻って待機状態と成る。
【００２８】
上記図６に示したステップＳ１３では、現在運転中のモードが高圧給水モードと低圧給水モードのいずれであるかが判定され、高圧給水モードである場合はステップＳ１４に進んで電磁開閉弁１０Ｔを閉じてエアー抜きを完了した後、ステップＳ１５に進んで上記高圧運転用スイッチ１５ＳをＯＮしたか否かが判定され、ＹＥＳの場合（停止の場合）は上記の電磁開閉弁１０Ｔを開いて次ぎのステップＳ１７に進むが、ＮＯの場合（継続の場合）はステップＳ２２に進む。また、上記ステップＳ１３で低圧給水モードと判定された場合は、ステップＳ２１に進んで低圧運転用スイッチ１６ＳをＯＮしたか否かが判定され、ＹＥＳの場合（停止の場合）は上記のステップＳ１７に進むが、ＮＯの場合（継続の場合）はステップＳ２３に進む。
【００２９】
上記のステップＳ１７では、０．５秒後にポンプモータ２ＰＭを停止し、次いで、ステップＳ１８の１．５秒後に電磁開閉弁１０Ｔ閉、ステップＳ１９の給水表示ランプ１５Ｌ又は１６Ｌの消灯の各処理工程を経て、ステップＳ２０待機状態に進み、図５のステップＳ１に戻って処理を終える。また、上記の各ステップＳ２２とＳ２３では、夫々所定のポンプモータ２ＰＭの電流値が所定の時間内に所定の電流値に達し、且つ、その状態が所定の時間以上連続して検知されたか否か（水なし判定基準値の状態が２秒以上続いたか否か）が判定され、ＹＥＳの場合（洗浄水不足検知の場合）は夫々図７のステップＳ２４に進み、ＮＯの場合は夫々前述したステップＳ１５とステップＳ２１に戻る。
【００３０】
上記図７のステップＳ２４では、前記ポンプモータ２ＰＭがＯＦＦになり、次いで、ステップＳ２５に進んで１．５秒後に電磁開閉弁１０Ｔを閉じた後、ステップＳ２６に進んで現在の給水モードが高圧モードか否かが判定され、高圧モードの場合はステップＳ２８に進み、低圧モードの場合はステップＳ２７に進んで夫々各給水表示ランプ１５Ｌ又は１６Ｌを点滅して洗浄水の不足を知らせ、その後、ステップＳ２９に進んで高圧または低圧運転用スイッチ１５Ｓ，１６ＳをＯＦＦにしたか否かが判定されて、ＹＥＳの場合はステップＳ３０に進んで給水表示ランプ１５Ｌ又は１６Ｌを消灯して、ステップＳ３１の待機状態に進んで、図５のステップＳ１に戻る。
【００３１】
図８は、洗浄汚水を吸引する場合の動作を説明したフローチャートであって、ステップＳ３２の待機状態から、次ぎのステップＳ３３に進んでバキュームポンプ６用のＯＮ／ＯＦＦスイッチ１４Ｓ（吸引／停止ボタン）がＯＮされたか否かが判定され、ＹＥＳの場合はステップＳ３４に進んで吸引運転モードに入り、次いで、表示ランプ１４Ｌ（吸引ランプ）を点灯し、バキュームポンプ６（ブロアーモーター）を作動して洗浄汚水ＤＷの吸引を行う。その後、上記ＯＮ／ＯＦＦスイッチ１４ＳがＯＦＦにされたか否かが判定され、ＹＥＳの場合はステップＳ３８での表示ランプ１４Ｌを消灯し、次いで、ステップＳ３９で上記バキュームポンプ６の作動を停止して処理を終え、始めのステップＳ３２の待機状態に戻る。
【００３２】
【発明の効果】
以上述べた次第で本発明に係るカーペットクリーナーによれば、一つの電磁開閉弁を用いてこれを制御作動するだけで、呼び水を使用することなくエアー抜きを簡単に行って自動的に電動ポンプをスタートさせることができると共に、洗浄水の噴射圧力を二段階に切換えることができるものであって、カーペットや各種のクロス、或は、床面等を速やかに、且つ、きれいに洗浄できる利点を備えている。
【図面の簡単な説明】
【図１】本発明に係るカーペットクリーナーの概略を説明した構成図。
【図２】噴射ノズルとバキュームヘッドの部分の構成を説明した断面図。
【図３】操作パネルの一例を示した正面図。
【図４】本発明の電気的構成を説明したブロック図。
【図５】本発明の給水動作を説明したフローチャート。
【図６】図５に示したフローチャートの続きを説明したフローチャート。
【図７】図５並びに図６に示した各フローチャートの続きを説明したフローチャート。
【図８】本発明における吸引動作を説明したフローチャート。
【符号の説明】
１              カーペットクリーナーの機体
１Ａ            給水タンク
１Ｂ            回収タンク
２Ｐ            非自給式電動ポンプ
２ＰＭ          ポンプモータ
３              給水管
３Ｋ            循環パイプ
３Ｎ            噴射ノズル
４              ヒータ
５Ｔ            バキュームヘッド
６              バキュームポンプ
１０Ｔ          電磁開閉弁
１１            制御盤
１１Ａ          電流計
１５Ｓ          高圧運転用スイッチ
１６Ｓ          低圧運転用スイッチ
ＣＷ            洗浄水
ＤＷ            洗浄汚水
Ｔ              カーペット
【図１】
2004208874.tif 000003
【図２】
2004208874.tif 000004
【図３】
2004208874.tif 000005
【図４】
2004208874.tif 000006
【図５】
2004208874.tif 000007
【図６】
2004208874.tif 000008
【図７】
2004208874.tif 000009
【図８】
2004208874.tif 000010